(57)【要約】【課題】本発明は、台所用具に結合される剛性の本体（２）と少なくとも一つの変形可能なクッション（１０）を含む、台所用具用取っ手（１）に関する。【解決手段】本発明によれば、上記クッション（１０）は、手と接触することを意図されたシリコン外皮（１１）を含み、上記外皮（１１）は、上記外皮（１１）のショア硬度未満のショア硬度の固体コアを含んでいる収容部を画定する。【選択図】図１
2011092711.tif 000002
【特許請求の範囲】
【請求項１】
台所用具に結合される剛性の本体（２、１０２）、および、少なくとも一つの変形可能なクッション（１０、１１０）を含む、台所用具用取っ手（１、１０１）であって、上記クッション（１０、１１０）は、手と接触するようにされたシリコン外皮（１１、１１１）を含み、上記外皮（１１、１１１）は、上記外皮（１１、１１１）のショア硬度未満のショア硬度の固体コアを含む収容部を画定することを特徴とする台所用具用取っ手（１、１０１）。
【請求項２】
請求項１に記載の台所用具用取っ手（１、１０１）であって、上記シリコン外皮（１１、１１１）が、３０〜６０、好ましくは、５０のショア硬度を有していることを特徴とする台所用具用取っ手（１、１０１）。
【請求項３】
請求項１〜２のいずれかに記載の台所用具用取っ手（１、１０１）であって、上記コア（１２、１１２）が、３〜２０、好ましくは、５のショア硬度を有していることを特徴とする台所用具用取っ手（１、１０１）。
【請求項４】
請求項１〜３のいずれかに記載の台所用具用取っ手（１、１０１）であって、上記コア（１２、１１２）が、２〜８ｍｍ、好ましくは、５ｍｍの厚みを有していることを特徴とする台所用具用取っ手（１、１０１）。
【請求項５】
請求項１〜４のいずれかに記載の台所用具用取っ手（１、１０１）であって、上記シリコン外皮（１１、１１１）が、０．５〜２ｍｍ、好ましくは、１ｍｍの厚みを有していることを特徴とする台所用具用取っ手（１、１０１）。
【請求項６】
請求項１〜４のいずれかに記載の台所用具用取っ手（１、１０１）であって、上記クッション（１０、１１０）が、上記剛性の本体（２、１０２）の外表面に設けられた凹所（３、１０３）に固定されていることを特徴とする台所用具用取っ手（１、１０１）。
【請求項７】
請求項６に記載の台所用具用取っ手（１、１０１）であって、上記クッション（１０、１１０）が、結合材によって上記凹所（３、１０３）に固定されていることを特徴とする台所用具用取っ手（１、１０１）。
【請求項８】
請求項１〜７のいずれかに記載の台所用具用取っ手（１、１０１）であって、上記クッション１（０、１１０）の外皮（１１、１１１）が、手と接触する実質的に平坦な壁部（１３、１１３）、および、容器を形成するために、上記平坦な壁部（１３、１１３）を横断する方向に延びる周囲壁部（１４、１１４）を有していることを特徴とする台所用具用取っ手（１、１０１）。
【請求項９】
請求項１〜８のいずれかに記載の台所用具用取っ手（１、１０１）であって、上記クッション（１０、１１０）の上記シリコンの外皮（１１、１１１）が、半透明であることを特徴とする台所用具用取っ手（１、１０１）。
【請求項１０】
請求項１〜９のいずれかに記載の台所用具用取っ手（１、１０１）であって、上記クッション（１０、１１０）が、底壁部（１６、１１６）を含むことを特徴とする台所用具用取っ手（１、１０１）。
【発明の詳細な説明】
【技術分野】
【０００１】
本発明は、深鍋、フライパン等のような、台所用具用の取っ手に関する。
【背景技術】
【０００２】
剛性の構造を有し、インサートが前記構造にオーバーモールドされた取っ手は、特許文献１から知られている。これらのインサートは、指が置かれる領域において、前記剛性の構造上に配置される。インサートは、６０未満、好ましくは、５０のショア硬度を有する。
【先行技術文献】
【特許文献】
【０００３】
【特許文献１】欧州特許第０７４２０８３号明細書
【発明の概要】
【発明が解決しようとする課題】
【０００４】
そのような硬度のインサートを有する取っ手の構造は、取っ手を握って扱うとき、使用者の手の形への適合のために必要とされるインサートの実際の変形を許容しない。
【０００５】
インサートの実際の変形のために、インサートのショア硬度は、２０未満でなければならない。しかしながら、そのような硬さのインサートは、他の用具との衝突に直面してその弱さによって、また、洗浄パッドまたは食器洗い器からの作用によって、急速に劣化する。
【０００６】
本発明の目的は、上記欠点を解消し、使用者の手の形に対して取っ手の形の適合を可能にする、大きな快適さと、最適化された人間工学を備えた、台所用具用の取っ手を提供することにある。
【０００７】
本発明の他の目的は、時間が経っても耐性のある台所用具用の取っ手を提供することにある。
【０００８】
本発明の他の目的は、単純なデザインで、実施するのに経済的な、台所用具用の取っ手を提供することにある。
【課題を解決するための手段】
【０００９】
これらの目標は、台所用具に結合される剛性の本体、および、少なくとも一つのクッションまたはパッドを含み、前記クッションは、手と接触するように設計されたシリコンの外皮を含み、前記外皮は、前記外皮の硬度未満であるショア硬度を備えた固体のコアを含む収容部を画定する、台所用具用取っ手により達成される。
【００１０】
換言すると、クッション外皮、柔軟コア、剛性本体の、局所的にサンドイッチ構造を示す取っ手が得られる。したがって、取っ手を握るとき、外皮とコアは、手の圧力によって変形する。この変形は、手の形への取っ手の形の適合を可能にし、取っ手の取り扱い性と快適性を改良する。
【００１１】
好ましくは、シリコンの外皮は、３０〜６０、好ましくは、５０のショア硬度を有する。
【００１２】
シリコンの外皮は、良好な機械的強度を有し、好ましい感触と把持を提供するという利点を有する。良好な強度によって、他の器具との衝突による破壊、および、洗浄パッドによる作用からの引っ掻きまたは磨耗に対する抵抗が意図される。
【００１３】
好ましくは、コアは、３〜２０、好ましくは、５のショア硬度を有する。
【００１４】
好ましくは、コアは、２〜８ｍｍ、好ましくは、５ｍｍの厚みを有する。
【００１５】
これらの条件は、手の形への取っ手の形の適合を可能にし、それ故に快適な感触を得るように、１ｍｍより大きいコアの実際の変形を可能にする。
【００１６】
好ましくは、シリコンの外皮は、０．５〜２ｍｍ、好ましくは、１ｍｍの厚みを有する。
【００１７】
このことは、外皮の良好な柔軟性を保証し、一方、良好な強度を保証する。
【００１８】
好ましくは、クッションは、剛性の本体の外表面に設けられた受け入れ凹所に固定される。
【００１９】
この配置は、外表面が、把持には不利な突起を有していない取っ手を提供する。さらに、取っ手の凹所内へのこの種の平らな装着は、クッションの良好な保持を保証する。
【００２０】
好ましくは、クッションは、結合材により、受け入れ凹所に固定される。
【００２１】
この配置は、クッションと取っ手の間の緊密な結合を提供し、その結果、取り付け領域における、水または他の混入物質の貫通および保持を回避する。
【００２２】
好ましくは、パッドの外皮は、手と接触する実質的に平坦な壁部、および、前記平坦な壁部を横断する方向に延びる周囲壁部を有する。
【００２３】
この条件は、クッションの外皮が、コアの液体材料が硬化する前に注入される収容部の形を有することを可能にする。
【００２４】
好ましくは、パッドのシリコンの外皮は、半透明である。
【００２５】
この条件は、台所用具の使用中、あり得る作用に対して保護を提供する外皮を通して、コアの色が視認されることを可能にする。したがって、クッションに与えられる色は、長い間、維持される。
【００２６】
好ましくは、クッションは、底壁部を有する。
【００２７】
本発明は、非限定的に捉えられ、添付の図面に示された具体例の検討からよりよく理解される。
【図面の簡単な説明】
【００２８】
【図１】本発明の特定の具体例による台所用具用の取っ手の斜視図である。
【図２】図１の取っ手のＩＩ−ＩＩ線に沿った断面図である。
【図３】図１の取っ手のクッションのみの斜視図である。
【図４】図３のクッションのＩＶ−ＩＶ線に沿った断面図である。
【図５】本発明の他の具体例による台所用具用の取っ手の斜視図である。
【図６】図５の取っ手のＶＩ−ＶＩ線に沿った断面図である。
【発明を実施するための形態】
【００２９】
図１は、深鍋、ソース・パン、フライパンのような台所用具用の取っ手を示す。台所用具および台所用具への取っ手の取り付け具は、それ自体知られた方法で製造され、表されない。
【００３０】
取っ手１は、実質的に長円形の断面の細長い本体２を含む。取っ手１の本体２は、「Bakelite」（登録商標）のような材料で成型される。本体２は、取っ手が握られたときに、親指のための支持領域に面するクッション１０を含む、上部前面部分４を含む。
【００３１】
図３および図４に示されるように、クッション１０は、実質的に矩形断面の長円形形状を有する。クッション１０は、シリコンの外皮１１とコア１２を含む。
【００３２】
クッション１０の外皮１１は、手と接触する実質的に平坦な、長円形形状の壁部１３を含み、周囲壁部１４が、前記長円形形状の内方に、少し奥まって、または、後退して配置され、前記実質的に平坦な壁部１３を横断する方向に延びる。周囲壁部１４の後退位置は、前記実質的に平坦な壁部１３の周囲に縁部１５を画定する。前記シリコン外皮１１は、好ましくは、ショア硬度５０および略１ｍｍの厚みを有する。
【００３３】
前記クッション１０の外皮１１は、したがって、収容部を形成する。前記クッション１０を製造するために、前記収容部は、時間が立てば硬化して前記コア１２を形成する液状シリコンで満たされる。目標は、好ましくは、ショア硬度５および略５ｍｍの厚みの、前記周囲壁部１４の高さによって画定された、固体のコア１２を得ることである。
【００３４】
乾燥の間、空気と触れる液状シリコンによって形成される表面は、平坦を保てず、少々の凹みが、その中央部に作り出される。コア１２の具体例によると、この凹みの充填が、同種の液状シリコンによってなされ、硬化後、平坦な底壁部１６を形成する。
【００３５】
全てシリコンで製造された、そのようなクッション１０は、「Bakelite」（登録商標）からなる取っ手本体２の、略２３０℃の耐熱性に近接した、略２２０℃の温度耐性を提供する。使用においては、クッションの温度は、７０℃未満であり、したがって、前記取っ手の良好な耐性を保証する。
【００３６】
図１および図２に示されるように、取っ手１の本体２は、その上部前面部分４に、親指のための支持領域と対向して配置された空洞３を含む。前記クッション１０は、この空洞３に、結合材によって固定される。
【００３７】
前記空洞３は、液体または他の混入物質を収容する、余分の空き空間を残すことなく、クッション１０の外形を受容する大きさとされる。前記縁部１５は、前記壁部１３の外側に向って先細になっており、取っ手の本体２とクッション１０との間で、凹凸のない、平坦な接合を提供し、組み立て品の液密性を強化する。
【００３８】
前記空洞３は、クッションの底壁部１６をなんの遊びもなく受容する平坦な底を有する。したがって、クッションに対する指による押圧の間、前記外皮と前記コアの変形は、捕捉されている気泡の変形の類の他の無関係な変形によって妨げられることのない、快感をもたらす。
【００３９】
前記パッドの平坦な壁部１３は、略４００ｍｍ2の表面領域を有し、快適さという点におけるクッションの実際の変形と良好な把持との間で優れた妥協を提供する。これは、おおよそ、台所用具を把持する間の、取っ手上の親指の座面に対応する。
【００４０】
好ましくは、コア１２のシリコンは着色され、シリコンパッド１０の外皮１１は、半透明である。このことは、コア１２の保護を保証する間、コア１２の色を可視化することを可能にする。前記底壁部１６は、白く着色される。この対策は、コア１２の可視色を保つ。実際に、コア材料は、完全に透明ではなく、この白色底壁部１６は、取っ手の本体２の色が、使用者によって把握されるコア１２の色を変更してしまうことを防止する。
【００４１】
手の中で保持することを改良するために、シリコンインサート８、９が、結合材またはオーバーモールドによって、取っ手の本体２に付加される。
【００４２】
一つの具体例において、インサート８、９は、本発明によるクッションによって置換される。
【００４３】
使用時、使用者は、親指をパッド１０の上に置くことによって、取っ手を握る。取っ手を握るとき、パッド１０上に親指によって与えられる圧力は、シリコン外皮１１およびコア１２を変形し、それによって、取っ手の快適性を改良する。
【００４４】
図５および図６は、本発明の他の具体例を示し、ソースパンまたはシチュー鍋のための取っ手１０１に関する。この種の台所用具は、一般的には、その上方外方部分に、２つの直径方向に対向して配置された、一つは右で一つは左の取っ手が備わった、容器を含む。
【００４５】
取っ手１０１は、取っ手１０１を握るとき、親指の支持領域に面して配置されたクッション１１０を含む、上部部分を有する。クッション１１０は、取っ手に横方向に配置された、略矩形断面の長円形形状を有する。このことは、右の取っ手、左の取っ手を等しく調達することを可能にし、クッションの一部が、右の取っ手のための右の親指を受容し、クッションの他部が、左の取っ手のための左の親指を受容する。
【００４６】
クッション１１０は、クッション１０と同一の構造を有し、シリコンの外皮１１１とコア１１２を含む。クッション１１０の外皮１１１は、手と接触する実質的に平坦な壁部１１３および周囲壁部１１４を含む。クッションは底壁部１１６を有する。
【００４７】
取っ手１０１の本体１０２は、その上部部分に親指の支持領域に面する凹所１０３を含む。パッド１１０は、結合材により前記凹所１０３に固定される。
【００４８】
手での保持を改良するために、シリコンのインサート１０８が、取っ手の本体１０２に、結合材またはオーバーモールドによって付加される。
【００４９】
もちろん、本発明は、実施例として挙げられ、説明および図示された具体例に限定されない。本発明の保護範囲から離れることなく、特に、種々の要素の構造に関して、または、技術的な均等物の置換により、変更が可能である。
【００５０】
したがって、本発明の一つの具体例において、コアは、取っ手本体にオーバーモールドされることができ、手と接触する外皮は、他のオーバーモールド工程、または、結合材のいずれかによって、取り付けられることができる。
【符号の説明】
【００５１】
１、１０１  取っ手
２、１０２  剛性の本体
１０、１１０  クッション
１１、１１１  外皮
１２、１１２  コア
１３、１１３  壁部
１４、１１４  周囲壁部
１６、１１６  底壁部
【図１】
2011092711.tif 000003
【図２】
2011092711.tif 000004
【図３】
2011092711.tif 000005
【図４】
2011092711.tif 000006
【図５】
2011092711.tif 000007
【図６】
2011092711.tif 000008